(57)【要約】【課題】  簡単な機構により、透過性の高い光ディスクや、アダプター装着の８ｃｍ光ディスクの識別、ディスク排出制御処理が、容易かつ確実にできる光ディスク装置を提供する。【解決手段】  光ディスクを内部に収納可能な本体と、本体の内部に対して光ディスクを挿脱可能なディスク挿脱口１１と、本体の内部に設けられて光ディスクを挟持した状態で回転することにより光ディスクを本体内部へ搬送可能なローラとを備え、本体の内部に、光ディスク表裏の少なくとも一方に接触子を接触させて光ディスクを検出する機械式の検出器を設け、ディスクの識別、ディスク排出制御処理を、容易にかつ確実にする。【選択図】  図５
2006202404.tif 000002
【特許請求の範囲】
【請求項１】
光ディスクを内部に収納可能な本体と、
前記本体の内部に対して前記光ディスクを挿脱する挿脱口と、
前記本体の内部に挿入された光ディスクの高さ位置を規制する下ガイドローラと、
前記下ガイドローラとは前記本体の内部に挿入された光ディスクを挟んで反対面側に設けられ、表裏の少なくとも一方に接触することで前記光ディスクを検出する機械式検出器と、を備える光ディスク装置。
【請求項２】
請求項１記載の光ディスク装置であって、
前記検出器が、
前記光ディスク表裏の面に平行でかつ前記光ディスクの挿脱方向に直交する回動軸回りで揺動する接触子と、
前記接触子の先端に設けられ前記回動軸と同方向の軸回りで回動するローラと、
前記接触子の揺動を検出する検出手段と、を備える光ディスク装置。
【請求項３】
請求項２記載の光ディスク装置であって、
前記検出器が、前記接触子の先端を前記光ディスクに接触させる方向に付勢する付勢手段を備える光ディスク装置。
【請求項４】
請求項1ないし請求項３のいずれか１項記載の光ディスク装置であって、
前記検出器が、前記光ディスクの中心を通る前記光ディスクの挿脱の方向の直線に対して、最大４０ｍｍの偏りを持って配設されている光ディスク装置。
【発明の詳細な説明】
【技術分野】
【０００１】
本発明は、装置内に挿入されるディスクを識別可能とする光ディスク装置に関するものである。
【背景技術】
【０００２】
従来の光ディスク装置１００は、図１２および図１３に示すように、基台１０１を備えており、基台１０１には、挿入された光ディスク１０２の通過方向（すなわち、ローディング方向およびイジェクト方向）に略直交する幅方向（矢印１０３ａ）の移動を規制し、挿入経路を形成する光ディスクガイド部材１０４が設けられている。
また、挿入された光ディスク１０２に接触し、動力を伝達することによって光ディスク１０２を搬送し、光ディスク１０２のローディングおよびイジェクトを行うために挿入された光ディスク１０２に対して下方向（矢印１０３ｂ）に付勢されるローラ部材１０５が設けられている。さらに、ローラ部材１０５に設けられたギヤ１０５ａと係合し、ローラ部材１０５を回転させる図示省略の動力源が設けられている（例えば特許文献１参照）。
【０００３】
この光ディスク装置１００では、光ディスクガイド部材１０４に対してローラ部材１０５側に、光ディスク１０２が挿入された際に光ディスク１０２の外周と接触する軸部１０６ａを有するレバー部材１０６が設けられている。
また、複数の受光素子１０７ａ、１０７ｂ、１０７ｃ、１０７ｄや、レバー部材１０６に設けられた突起１０６ｂに接触することでレバー部材１０６の変位を検出するブッシュスイッチ１０８ａ、１０８ｂを備えている。
【０００４】
なお、ブッシュスイッチ１０８ｂは、レバー部材１０６が矢印１０３ｃの方向の最大変位を検出する位置に設けられており、１２ｃｍ光ディスク１０２を検出することができるようになっている。また、受光素子１０７ａ、１０７ｂ、１０７ｃ、１０７ｄに対向して検出光を発する図示省略の発光素子が各々設けられており、光ディスク１０２によって検出光が遮断されることにより通過する光ディスク１０２を検出するようになっている。
【特許文献１】特開２００３−２４８９９５号公報（図１、図２）
【発明の開示】
【発明が解決しようとする課題】
【０００５】
しかしながら、従来の光ディスク装置１００は、ディスク搬送路外に設けられ、ディスク端面に接触してディスクを検出するレバー部材１０６を用いた機械式検出手段と、ディスク搬送路内に設けられる受光素子１０７ａ、１０７ｂ、１０７ｃ、１０７ｄを用いた光学式検出手段との組み合わせによって、通常の１２ｃｍの光ディスク、透明な光ディスク、アダプターに装着した８ｃｍ光ディスク等の種々の光ディスクの識別、排出位置制御を行っていたため、構造が複雑となり、ディスク検出の動作制御も煩雑となっていた。また、光透過性の高い光ディスクや、８ｃｍ領域のみ記録層を蒸着した１２ｃｍディスクの場合、光学式検出手段では外形が正確に検出できないことがあり、排出位置の制御が不安定となることがあった。さらに、アダプター装着の８ｃｍ光ディスクの場合、アダプタのスリットや、アダプタとディスクとの間隙によって、ディスク外周（端面）と同等の信号が頻繁に検出され、対応可能ディスクであることの判定に複雑な処理を要したり、排出位置の制御が不安定となることがあった。
【０００６】
本発明は、従来の課題を解決するためになされたもので、簡単な機構により、透過性の高い光ディスクや、アダプター装着の８ｃｍ光ディスクの識別、ディスク排出制御処理が、容易かつ確実にできる光ディスク装置を提供することを目的とする。
【課題を解決するための手段】
【０００７】
本発明の光ディスク装置は、光ディスクを内部に収納可能な本体と、前記本体の内部に対して前記光ディスクを挿脱する挿脱口と、前記挿脱口から前記本体の内部に挿入された光ディスク表裏の少なくとも一方に接触することで前記光ディスクを検出する機械式検出器とを備えた構成を有している。
【０００８】
この構成により、光ディスクの挿入が開始されると、一対のローラが回転され、光ディスク装置本体の挿脱口に挿入された光ディスクを挟持して、本体内部に搬入する。この際、検出器の接触子が光ディスク表裏の少なくとも一方に接触し、挿入された光ディスクの外径、形状、挿入状態を検出することができる。接触子は、光ディスク面との接触状態、すなわち、挿入開始から接触開始、接触状態の連続性、接触終了を検出できる。また、機械式検出手段である検出器のみにより検出を行うので、従来構成のように、機械式検出手段と光学式検出手段との組み合わせによる煩雑な制御をなくすことができる。さらに、光学式検出手段に依存しなくなるので、アダプタのスリットや、アダプタとディスクとの間隙によって、ディスク外周（端面）と同等の信号が頻繁に検出されなくなり、動作制御を安定させることができる。
【０００９】
また、本発明の光ディスク装置は、前記検出器が、前記光ディスク表裏の面に平行でかつ前記光ディスクの挿排方向に直交する回動軸回りで揺動する接触子と、前記接触子の先端に設けられ前記回動軸と同方向の軸回りで回動するローラと、前記接触子の揺動を検出する検出手段とを備えた構成を有している。
【００１０】
この構成により、検出器を、接触子、ローラ、検出手段の少ない部品数の簡素な構造で構成でき、しかも、少ない設置スペースで高い動作信頼性を得ることができる。また、検出手段に、安価な機械式センサを用いることができる。さらに、検出器の先端が、光ディスク面を転動するローラを介して接触するので、光ディスク面への擦れや傷つきをなくすことができるとともに、接触摩擦を低減させることによって、光ディスク挿入駆動負荷の増大を抑止することができる。
【００１１】
さらに、本発明の光ディスク装置は、前記検出器が、前記接触子の先端を前記光ディスクに接触させる方向に付勢する付勢手段を備えた構成を有している。
【００１２】
この構成により、接触子の先端が常に安定的に光ディスク面に接触することとなり、例えば外部からの衝撃等による接触子の振動を生じにくくして、誤検出を排除し、検出精度を高めることができる。
【００１３】
さらに、本発明の光ディスク装置は、前記検出器が、前記光ディスクの中心を通る前記光ディスクの挿脱の方向の直線に対して、最大４０ｍｍの偏りを持って配設されている構成を有している。
【００１４】
この構成により、光ディスク装置内に１２ｃｍディスクが挿入されたのか８ｃｍディスクが装着されていないアダプタ１２Ａのみが装着されたかの判別を確実に行うことができる。
【発明の効果】
【００１５】
本発明は、本体の内部に、光ディスク表裏の少なくとも一方に接触子を接触させて光ディスクを検出する機械式検出器を設けることにより、部分的に記録層が蒸着された光透過性の高い光ディスクなどを、容易にかつ確実に識別することができるという効果を有する光ディスク装置を提供することができるものである。
【発明を実施するための最良の形態】
【００１６】
以下、本発明の実施の形態の光ディスク装置について、図面を用いて説明する。
本発明の第１の実施の形態の光ディスク装置を図１に示す。
図１には、本発明の実施の形態の光ディスク装置１０を内蔵するカーオーディオ装置１の全体斜視図が示されている。このカーオーディオ装置１では、光ディスク装置１０のほかにラジオ２、カセットテープ再生装置３等を内蔵しており、前面パネル４には、全機能に共用される表示部４ａや電源／ボリュームつまみ４ｂに加えて、光ディスク装置１０における開閉自在な蓋部１１ａを備えたディスク挿脱口１１、ラジオ用のチューニングつまみ２ａ、カセットテープ挿入口３ａ等が設けられている。また、内部には、ラジオ２、カセットテープ再生装置３、光ディスク装置１０等を制御する図示しない制御部が設けられている。
【００１７】
図２には、カーオーディオ装置１に内蔵されている本発明の実施形態である光ディスク装置１０の、図１中II−II位置における断面図が示されている。
図２に示すように、光ディスク装置１０は、矩形箱状の本体１３と、この本体１３内においてディスク１２を積層収納するための複数枚のトレイ１４と、本体１３内の所定高さ位置に固定された基台１５に設けられ所定のトレイ１４間を開閉する図示しないトレイ開閉手段と、基台１５に設けられている軸１６を中心に矢印Ｓで示す方向に回動可能に支持された演奏部１７とを備えている。
【００１８】
演奏部１７は、軸１６を中心として回動する平板状のサスシャーシ１８を有しており、このサスシャーシ１８はディスク１２を保持して回転するクランプ機構１９を有している。また、サスシャーシ１８は、クランプ機構１９に保持され回転するディスク１２にアクセスすべく、サスシャーシ１８に沿って往復移動可能に支持されているピックアップ２０と、このピックアップ２０を移動させる駆動モータ２１およびリードスクリュ２１ａとを備えている。
【００１９】
本体１３のディスク挿脱口１１付近には、挿入されたディスクに接触し、動力を伝達することによって、ディスク１２を搬送し、ディスク１２の挿入（ローディング）及び排出（イジェクト）を行う搬送手段を構成するローディングローラ２３、上ガイドローラ２４や、ローディングローラ２３を回転させる図示しない動力源が設けられている。ローディングローラ２３は、図３に示すように、共通軸２３ａに、左右のローディングローラ２３Ｌ、２３Ｒに分割して設けられている。上ガイドローラ２４は、ディスク１２の挿入（ローディング）及び排出（イジェクト）時にローディングローラ２３と共動して回転する。
【００２０】
ローディングローラ２３は本体１３に対して上下方向（図５中Ｕ方向またはＴ方向）の移動が規制されている。また、上ガイドローラ２４は本体１３に対して上下方向（図５中Ｕ方向またはＴ方向）に移動可能であり、上ガイドローラ２４を付勢する図示しない弾性部材の作用により、上ガイドローラ２４は本体１３に対して下方向（図５中Ｔ方向）に付勢されている。
【００２１】
したがって、本体１３内にディスク１２が挿入されると、上ガイドローラ２４が本体１３に対して上方向（図５Ｕ方向）に移動し、ディスク１２はローディングローラ２３と上ガイドローラ２４の間に押圧される。上ガイドローラ２４の上方向（図５Ｕ方向）への移動可能量はディスクが複数枚（例えば２枚）挿入された場合の移動量以上確保しており、装置内に複数枚のディスクが挿入された場合でも、ローディングローラ２３と上ガイドローラ２４は回転可能にディスクを押圧し、ローディングやイジェクトが可能な構成になっている。
【００２２】
本体１３のディスク挿脱口１１付近でローディングローラ２３、上ガイドローラ２４よりローディング方向奥側には、機械式検出器２５が設けられている。検出器２５は、ディスク１２がディスク装置の内部に挿入された際に、ディスク１２表裏の少なくとも一方に接触してディスク１２を検出する。本実施の形態においては、検出器２５がディスク１２の上面１２ａのみに接触する場合を例に説明する。検出器２５は、接触子である検出レバー２６と、ローラ２７と、検出手段である検出スイッチ２９とを有している。
【００２３】
検出レバー２６は、ディスク１２表裏の面に平行でかつ挿脱の方向（ディスク挿入方向Ｖ）に直交する回動軸３０回りで揺動する。ローラ２７は、検出レバー２６の先端に設けられ、回動軸３０と同方向の軸３１回りで回動する。検出スイッチ２９には、例えば押圧子が検出レバー２６の揺動によって押圧作動される機械式センサー（リミットスイッチ等）を用いることができる。このように、検出器２５は、ディスク１２の上面１２ａに接触し、回動軸３０を中心に揺動して、ディスク１２を検出するよう機能する。
【００２４】
回動軸３０には付勢手段であるコイルバネ３２が外挿され、コイルバネ３２は一端が回動軸３０に固定され他端が検出レバー２６に固定されて、検出レバー２６の先端をディスク１２に接触させる方向に付勢している。この構成により、検出レバー２６の先端が常に安定的にディスク１２の上面１２ａに接触することとなり、例えば外部からの衝撃等による検出レバー２６の振動を生じにくくして、誤検出を排除し、検出精度を高めることができるようになっている。
【００２５】
また、ディスク１２を挟んでローラ２７の反対側には下ガイドローラ３３が設けられ、下ガイドローラ３３はコイルバネ３２によってディスク１２の上面１２ａに圧接するローラ２７と共に、ディスク１２を上下で接触もしくは挟持するようになっている。下ガイドローラ３３は、上下方向（図５中Ｕ方向またはＴ方向）の移動が規制され、ローラ２７の圧接によるディスク１２の変位を防止している。
すなわち、下ガイドローラ３３がローラ２７よりも挿排口１１側に設けられ、挿俳口１１から本体１３内部へ搬送されたディスク１２がローラ２７を通過する前にディスク１２における進行方向端部の高さ位置が下ガイドローラ３３で規制され、高さ位置が固定される。その後、ディスク１２がローラ２７を通過した際にローラ２７がディスク１２の厚みにより移動することでディスクの通過を検出する構成となっている。
また、ローディングローラ２３、上ガイドローラ２４が下ガイドローラ３３よりも挿排口１１側に設けることで挿入されたディスク１２を検出器２５を通過する前に、より水平な状態に維持でき、下ガイドローラ３３が規制するディスク１２の高さ位置が安定し、検出器２５による光ディスクの検出が確実に行われる。
【００２６】
検出器２５は、図４（Ａ）に示すように、挿入されるディスクが描く軌跡上に設けられる必要があるが、図４（Ｂ）に示すように挿入動作中のアダプタ１２Ａの中空部が描く軌跡上に設けられる、すなわち、ディスクの中心を通る挿脱方向の直線に対して、最大４０ｍｍの偏りを持って設けられることで検出器２５がディスクと接触している時間などをカウントすることで、１２ｃｍディスクが挿入されたのか８ｃｍディスクが装着されていないアダプタ１２Ａのみが装着されたかの判別を確実に行うことができる。また、付随して、図４（Ｃ）に示すように、挿入されたディスクの外周を検出するディスク外周検出レバー４０と検出器２５とを併用すれば、光透過型の８ｃｍディスクが挿入されたことも、より確実にディスク挿脱口近傍で検出することができる。この場合のディスク外周検出レバー４０は図示しないスライドボリュームなどと連結しており、ディスクの挿脱に伴ってディスクの外周に押圧された際に、ディスクの挿脱方向と垂直に交わる方向に移動可能に設けられており、この移動がスライドボリュームの移動と連動するためディスクが挿脱口１１よりも本体１３側にどの程度挿入されているかが分かるようになっているものである。
【００２７】
このような構成により、検出器２５は、検出レバー２６、ローラ２７、検出スイッチ２９の少ない部品数の簡素な構造で構成でき、しかも、少ない設置スペースで高い動作信頼性を得ることができる。また、検出スイッチ２９に、安価な機械式センサを用いることもできる。さらに、検出器２５の先端が、ディスク１２の上面１２ａを転動するローラ２７を介して接触するので、ディスク１２の上面１２ａへの擦れや傷つきをなくすことができるとともに、接触摩擦を低減させることによって、ディスク挿入駆動負荷の増大を抑止することができるようになっている。
【００２８】
本体１３のディスク挿脱口１１付近には、発光素子と、発光素子と対をなす受光素子とからなる光学センサ３６が設けられており、装置内にディスク１２が挿入された場合には、発光素子から発光された光がディスク１２により遮光され、受光素子の出力がＨｉに変化することで装置内へのディスク１２の挿入を検出可能に構成されている。受光素子は遮光されている状態のときにＨｉを出力し、受光している状態のときにＬｏを出力するようになっている。なお、この光学センサ３６は、ディスク１２の挿入を検出するもので、ディスク１２を識別するための構成とは異なる。
【００２９】
まず、ディスク１２に対する光ディスク装置１０のローディング動作について図６、図７、図８、図９、図１０、図１１を用いて説明する。本実施の形態の光ディスク装置１０は、１２ｃｍのディスクの挿入、排出を行って再生又は記録を行うものであるが、８ｃｍのディスクも取扱い可能である。８ｃｍのディスクの再生又は記録を行う場合は、中心部に８ｃｍディスクを保持するアダプタを利用することもできる。
【００３０】
図６、図７に示すように、ディスク１２が利用者によって光ディスク装置１０に設けた本体１３のディスク挿脱口１１の内部に挿入されると、光学センサ３６の発光素子から発光された光がディスク１２で遮光され、光学センサ３６の受光素子の出力がＨｉに変化することで、ディスク装置内部にディスク１２が挿入されたことを検出し、光ディスク装置１０は動力源の動作を開始させて、ローディングローラ２３の回転を開始する。
【００３１】
ディスク１２が利用者によって更に挿入されると、ディスク１２がローディングローラ２３、上ガイドローラ２４間に押圧され、ディスク１２のオートローディングが開始される。ディスク１２のオートローディングが継続されると、ディスク１２は検出器２５のローラ２７に接触し、検出レバー２６は図７中Ｑ方向に揺動される。それにより、検出スイッチ２９がＯＮになる。
【００３２】
さらにディスク１２が進行すると、ディスク１２とローディングローラ２３、上ガイドローラ２４の押圧が解除され、ディスク１２は記録再生位置方向に移動される。ディスク１２が記録再生位置方向に移動されると、図示しないレバー部材とプッシュスイッチの係合が解除され、プッシュスイッチの出力が変化し、この出力変化のタイミングで図示しない駆動源の動作を停止させることでローディングローラ２３の回転が停止する。
【００３３】
さらにディスク１２が進行すると、ディスク１２とローラ２７の接触が解除され、検出レバー２６はコイルバネ３２の付勢力によって初期位置に保持される。そして、検出スイッチ２９がＯＦＦになる。
【００３４】
次に、図示していない機構によりディスク１２はディスク記録再生部による記録再生位置に搬送される。次に、サスシャーシ１８を図２に示す待機位置から再生位置まで軸１６を中心に矢印Ｓ方向に回動させる。これにより、サスシャーシ１８を所定のトレイ１４間に挿入する。さらにクランプ機構１９によりディスク１２を保持する。ディスク１２を回転させるとともにピックアップ２０をサスシャーシ１８に沿って移動させながら、ディスク１２に記録されている情報を再生する。
【００３５】
ここで、図８、図９には、８ｃｍディスク１２Ｂ（図１０参照）を１２ｃｍディスク１２と同様に取り扱うためのアダプタ１２Ａが示されている。アダプタ１２Ａは１２ｃｍディスク１２と略等しい外径を有する円形であり、中央には８ｃｍディスク１２Ｂを嵌め込むために８ｃｍディスク１２Ｂの外径よりもわずかに大きめの円形のディスク嵌入孔３９が設けられている。このディスク嵌入孔３９の内周面には、８ｃｍディスク１２Ｂをアダプタ１２Ａに取り付けるための凸部である図示しないディスク保持爪が表裏両面から交互に設けられている。
【００３６】
したがって、例えば８ｃｍディスク１２Ｂを装着していない空のアダプタ１２Ａが挿入された場合には、本体１３のディスク挿脱口１１の内部にアダプタ１２Ａが挿入されると、まず、光学センサ３６の発光素子から発光された光がディスク１２で遮光され、光学センサ３６の受光素子の出力がＨｉに変化することで、ディスク装置内部にアダプタ１２Ａが挿入されたことが検出され、光ディスク装置１０は動力源の動作を開始させて、ローディングローラ２３の回転を開始する。
【００３７】
アダプタ１２Ａが利用者によって更に挿入されると、アダプタ１２Ａがローディングローラ２３、上ガイドローラ２４間に押圧され、アダプタ１２Ａのオートローディングが開始される。アダプタ１２Ａのオートローディングが継続されると、アダプタ１２Ａは検出器２５のローラ２７に接触し、検出レバー２６は図９中Ｑ方向に揺動されるが、８ｃｍディスク１２Ｂの装着されていないアダプタ１２Ａの場合には、ローラ２７がディスク嵌入孔３９に落ち、検出レバー２６は図９中Ｒ方向に揺動される。それにより、検出スイッチ２９の出力レベルが初期位置に戻り、８ｃｍディスク１２Ｂの未装着のアダプタ１２Ａであることが検出されるようになっている。
【００３８】
ディスク１２Ｂが利用者によって更に挿入されると、ディスク１２Ｂがローディングローラ２３、上ガイドローラ２４間に押圧され、ディスク１２Ｂのオートローディングが開始される。ディスク１２Ｂのオートローディングが継続されると、ディスク１２Ｂは検出器２５のローラ２７に接触し、検出レバー２６は図１１中Ｑ方向に揺動される。それにより、検出スイッチ２９がＯＮになる。この際、光学センサ３６によってディスクの挿入が検出され、検出スイッチ２９がＯＮになるまでの時間は、ディスク径が異なることから、１２ｃｍディスク１２と、８ｃｍディスク１２Ｂとで異なる値となる。これにより、１２ｃｍディスク１２と、８ｃｍディスク１２Ｂとが検出されるようになっている。
【００３９】
次に、ディスク１２に対する光ディスク装置１０のイジェクト動作について説明する。
ディスク１２に記録されている情報の再生が終了すると、ピックアップ２０をサスシャーシ１８に沿って待機位置へ移動させる。次に、クランプ機構１９によるディスク１２の保持を解除し、サスシャーシ１８を再生位置から図２に示す待機位置まで移動させる。次に、ディスク１２が記録再生位置から搬出される。
【００４０】
ディスク１２が記録再生位置から搬出されると、図示しないレバー部材が回動し、レバー部材がプッシュスイッチと接触することで、プッシュスイッチの出力がＨｉからＬｏに変化する。プッシュスイッチの出力がＨｉに変化したタイミングで図示していない駆動源の動作を開始させることでローディングローラ２３の回転を開始する。
【００４１】
さらに図示していない機構によりディスク１２が搬送されると、ディスク１２とローディングローラ２３が接触し、ローディングローラ２３と上ガイドローラ２４の間に押圧されることで、ディスク１２のローディングローラ２３によるディスク搬送が開始される。
【００４２】
ディスク１２はローディング時と逆のタイミングでイジェクト方向に進行し、ディスク１２はイジェクト完了位置まで搬送される。なお、ディスク１２のイジェクト完了の検出は、検出器２５、光学センサ３６によって行う。この動作により、ディスク１２のイジェクト動作を完了する。
【００４３】
このように、上記の光ディスク装置１０では、ディスク１２の挿入が開始されると、光学センサ３６によりディスク１２の挿入が検出され、その検出に伴って一対のローディングローラ２３と上ガイドローラ２４とが回転され、本体１３のディスク挿脱口１１に挿入されたディスク１２を挟持して、本体１３内部に搬入する。この際、検出器２５の検出レバー２６がディスク１２の上面１２ａに接触し、挿入されたディスク１２の外径、形状、挿入状態が検出される。検出レバー２６は、ディスク１２の上面１２ａとの接触状態、すなわち、挿入開始から接触開始、接触状態の連続性、接触終了を検出できるようになっている。
【００４４】
また、この光ディスク装置１０では、機械式検出手段である検出器２５のみにより検出を行うので、従来構成のように、機械式検出手段と光学式検出手段との組み合わせによる煩雑な制御をなくすことができる。さらに、光学式検出手段に依存しなくなるので、アダプタ１２Ａのスリットや、アダプタ１２Ａと８ｃｍディスク１２Ｂとの間隙によって、ディスク外周（端面）と同等の信号が頻繁に検出されなくなり、動作制御を安定させることができる。
【００４５】
なお、本実施の形態においては、ローラ２７を挿入されるディスク１２の上側に位置して上下動可能に設けられ、下ガイドローラ３３が挿入されるディスク１２の下側に位置して上下方向に固定されて設けられているが、ローラ２７を挿入されるディスク１２の下側に位置させて上下動可能に設け、下ガイドローラ３３を挿入されるディスク１２の上側に位置させて上下方向に固定させるようにしてもディスク１２の検出が可能である。
【００４６】
このような本発明の実施の形態の光ディスク装置１０によれば、本体１３の内部に、ディスク１２の上面１２ａに検出レバー２６を接触させてディスク１２を検出する機械式検出器２５を設けることにより、部分的に記録層が蒸着された光透過性の高い光ディスクやアダプタ１２Ａ装着ディスクの識別、ディスク排出制御処理を、容易にかつ確実にができるという効果を有する光ディスク装置１０を提供することができる。
【００４７】
以上、本発明の実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００４８】
以上のように、本発明の光ディスク装置は、光ディスクを内部に収納可能な本体と、本体の内部に対して光ディスクを挿脱可能な挿脱口と、本体の内部に設けられて光ディスクを挟持した状態で回転することにより光ディスクを本体内部へ搬送可能なローラとを備える光ディスク装置であって、本体の内部に、光ディスク表裏の少なくとも一方に接触子を接触させて光ディスクを検出する機械式検出器を備えることにより、光透過性の高い光ディスクやアダプタ装着ディスクの識別、ディスク排出制御処理を、容易にかつ確実にができるという効果を有し、ディスク装置等として有用である。
【図面の簡単な説明】
【００４９】
【図１】本発明の実施の形態における光ディスク装置を内蔵したカーオーディオ装置を示す全体斜視図
【図２】本発明の実施の形態における光ディスク装置の図１中II−II位置から見た本発明にかかる光ディスク装置の待機状態を示す平面図
【図３】本実施の形態における光ディスク装置の図２に示した搬送手段及び検出器を表す本体の要部拡大平面図
【図４】（Ａ）本実施の形態における光ディスク装置の検出器の位置を１２ｃｍディスクをもちいて説明する図  （Ｂ）本実施の形態における光ディスク装置の検出器の位置をアダプタをもちいて説明する図  （Ｃ）本実施の形態における光ディスク装置の検出器の位置を８ｃｍディスクをもちいて説明する図
【図５】本実施の形態における光ディスク装置の図３のＡ−Ａ矢視図
【図６】本実施の形態における光ディスク装置の１２ｃｍディスク挿入状態を表す本体の要部拡大平面図
【図７】本実施の形態における光ディスク装置の図６のＢ−Ｂ矢視図
【図８】本実施の形態における光ディスク装置の空８ｃｍディスクアダプタ挿入状態を表す本体の要部拡大平面図
【図９】本実施の形態における光ディスク装置の図８のＣ−Ｃ矢視図
【図１０】本実施の形態における光ディスク装置の８ｃｍディスク挿入状態を表す本体の要部拡大平面図
【図１１】本実施の形態における光ディスク装置の図１０のＤ−Ｄ矢視図
【図１２】従来の光ディスク装置の要部平面図
【図１３】図１２中Ｅ方向から見た正面図
【符号の説明】
【００５０】
１０  光ディスク装置
１１  ディスク挿脱口
１２  光ディスク
１２ａ  光ディスクの上面（光ディスク表裏）
１３  本体
２５  検出器
２６  検出レバー（接触子）
２７  ローラ
２９  検出スイッチ（検出手段）
３０  回動軸
３１  軸
３２  コイルバネ（付勢手段）
３４  ディスクの中心を通る挿脱の方向の直線
３５  検出器の中心を通る挿脱方向に平行な直線
４０  ディスク外周検出レバー
【図１】
2006202404.tif 000003
【図２】
2006202404.tif 000004
【図３】
2006202404.tif 000005
【図４】
2006202404.tif 000006
【図５】
2006202404.tif 000007
【図６】
2006202404.tif 000008
【図７】
2006202404.tif 000009
【図８】
2006202404.tif 000010
【図９】
2006202404.tif 000011
【図１０】
2006202404.tif 000012
【図１１】
2006202404.tif 000013
【図１２】
2006202404.tif 000014
【図１３】
2006202404.tif 000015